(57)【要約】      （修正有）【課題】ペットの歯を磨く際に、使用者（飼い主等）がペットの唾液で汚れる等の不都合を防止しつつ好適に使用できるペット用歯ブラシを提供する。【解決手段】ハンドル部２と、このハンドル部２から先方へ棒状に延出して設けられたインサート部３と、このインサート部３の先端に設けられ且つブラシ８が植設されたブラシヘッド部４とを有し、インサート部３とハンドル部２との間にハンドル部２のまわりへ張り出す状態でインサート部３への指の突き出しを防止する鍔部１０が設けられたものとする。【選択図】図１
0003142108.tif 000002
【実用新案登録請求の範囲】
【請求項１】
ハンドル部（２）と、このハンドル部（２）から先方へ棒状に延出して設けられたインサート部（３）と、このインサート部（３）の先端に設けられ且つブラシ（８）が植設されたブラシヘッド部（４）とを有し、インサート部（３）とハンドル部（２）との間にハンドル部（２）のまわりへ張り出す状態でインサート部（３）への指の突き出しを防止する鍔部（１０）が設けられていることを特徴とするペット用歯ブラシ。
【請求項２】
前記ブラシヘッド部（４）は、棒状に形成された植台（７）を中心としてその全周に放射状にブラシ（８）が植設されることで円柱形に形成されていることを特徴とする請求項１記載のペット用歯ブラシ。
【請求項３】
前記ブラシヘッド部（４）は、ハンドル部（２）の長手方向軸心に対して斜めに傾斜した状態で設けられていることを特徴とする請求項１又は請求項２記載のペット用歯ブラシ。
【請求項４】
前記ハンドル部（２）は、その外周面が長手方向軸心を中心として等幅の４面に面取り形成されていることを特徴とする請求項３記載のペット用歯ブラシ。
【考案の詳細な説明】
【技術分野】
【０００１】
本考案は、ペット用歯ブラシに関するものである。
【背景技術】
【０００２】
歯ブラシとして、ハンドルから先方へ延びる軸が設けられ、この軸の先端まわりで外周全周へ放射状にブラシを植設させたものが知られている（例えば、特許文献１等参照）。
この種の歯ブラシでは、ブラシが放射状に植設されている（即ち、全周面がブラシである）ことから、上下の歯を磨きやすいという利点がある。そのため、例えば病人や子供などの歯を、他の付き添い者が磨いてやる場合などに重宝されることがある。
ところで、犬や猫などのペットを飼育している飼い主のなかには、この種の歯ブラシを利用してペットの歯を磨こうとする者もあった。このような利用法は目的外使用に該当する。
【特許文献１】特開２００６−３４０７４９号公報
【考案の開示】
【考案が解決しようとする課題】
【０００３】
飼い主がペットの歯を磨く場合、ペットが口に入れられた歯ブラシを興味本位で銜えたり暴れたりすると、勢いあまって歯ブラシを持つ飼い主の指先がペットの口中に入ってしまい、唾液で汚される等の不具合が生じることがあった。
本考案は、上記事情に鑑みてなされたものであって、ペットの歯を磨く際に、使用者（飼い主等）がペットの唾液で汚れる等の不都合を防止しつつ好適に使用できるようにしたペット用歯ブラシを提供することを目的とする。
【課題を解決するための手段】
【０００４】
前記目的を達成するために、本考案は次の手段を講じた。
即ち、本考案に係るペット用歯ブラシは、ハンドル部と、このハンドル部から先方へ棒状に延出して設けられたインサート部と、このインサート部の先端に設けられ且つブラシが植設されたブラシヘッド部とを有し、インサート部とハンドル部との間にハンドル部のまわりへ張り出す状態でインサート部への指の突き出しを防止する鍔部が設けられている。
このように、まず第一に、ハンドル部から棒状に延出するインサート部を介してブラシヘッド部が設けられているため、ハンドル部を持つ使用者の手や指とペットの口中との間に所定の距離を保つことができるようになっている。
【０００５】
また第二に、インサート部とハンドル部との間に鍔部が設けられているため、ハンドル部を持つ使用者の手や指が、意図せずにインサート部やブラシヘッド部側へずれてしまうということがない。
これらのことから、使用者の手や指がペットの口中に入ってしまうということを防止できるので、唾液で汚される等の不具合も生じないことになる。従って、本考案に係るペット用歯ブラシは、ペットの歯を磨くのに好適に使用できる。
なお、鍔部はインサート部を伝ってペットの唾液が流れてきたときに、この唾液を堰き止める役目もある。
【０００６】
また鍔部は、ペットの口中に対するブラシヘッドの差し込み量を制限する役目もある。更に鍔部は、ペット側から見てハンドル部を持つ使用者の指先を隠す（ペットの視線を遮る）役目があるため、ペットに暴れるきっかけを与えないという利点も有する。
ブラシヘッド部は、棒状に形成された植台を中心としてその全周に放射状にブラシが植設されることで円柱形に形成されたものとするのが好適である。
このようにすることで、上下の歯や口中の奥方の歯を磨きやすくなる。
ブラシヘッド部は、ハンドル部の長手方向軸心に対して斜めに傾斜した状態で設けられたものとすることができる。
【０００７】
このようにすることで、歯磨き中、ペットの顔を無理矢理上向きにさせなくてもよくなり、歯磨きが一層容易になる。
ハンドル部は、その外周面が長手方向軸心を中心として等幅の４面に面取り形成されたものとするのがよい。
このようにすると、ハンドル部を持つときに方向性がでない（どの方向で持つときも同じ手触り感となる）ので、使用勝手がよい。殊に、上記したようにブラシヘッド部を斜めに傾斜させた構成とする場合には、その特性をふんだんに引き出すことができるので好都合である。
【考案の効果】
【０００８】
本考案に係るペット用歯ブラシは、ペットの歯を磨く際に、使用者（飼い主等）がペットの唾液で汚れる等の不都合を防止しつつ好適に使用することができる。
【考案を実施するための最良の形態】
【０００９】
以下、本考案の実施の形態を、図面に基づき説明する。
図１乃至図５は、本考案に係るペット用歯ブラシ１の一実施形態を示している。なお、本実施形態（殊に各部の寸法に関して）は小型犬用とした場合を示している。
このペット用歯ブラシ１はハンドル部２と、このハンドル部２から先方へ棒状に延出して設けられたインサート部３と、このインサート部３の先端に設けられたブラシヘッド部４とを有している。
ブラシヘッド部４は、植台７を有し、この植台７に、樹脂糸等の集合体として形成されたブラシ８が植設されたものである。本実施形態では植台７が棒状に形成され、この植台７を中心としてその全周を取り囲むように放射状にブラシ８が植設されることで、ブラシヘッド部４の全体が円柱形に形成されたものを示している。
【００１０】
また、このブラシヘッド部４は、ハンドル部２の長手方向軸心に対して斜めに傾斜した状態で設けられている。本実施形態ではハンドル部２とインサート部３との連結間で傾斜角θを生じさせ、その結果としてハンドル部２とブラシヘッド部４とが傾斜するようにしてあり、インサート部３とブラシ部４とは一軸配置としてある。
そして本考案に係るペット用歯ブラシ１では、インサート部３とハンドル部２との間に、ハンドル部２のまわりへ張り出す状態で鍔部１０が設けられたものとしてある。この鍔部１０は、ハンドル部２を持つ使用者の手や指が、インサート部３へ突き出されることがないようにするためのものである。
【００１１】
本実施形態では、鍔部１０を平面視したとき（図４参照）、４枚の花びらを有した花のように、その外周部に円弧状の凸部が４つ並んだ形状としてある。具体的な寸法としては、最大直径Ｈ（凸部の頂点から反対側凸部の頂点まで）を２８ｍｍとした（なお隣接する凸部間の外法Ｐは約２４ｍｍ）。
また鍔部１０の肉厚を３ｍｍ程度にすることで剛性を持たせ、指の当接などでは撓み変形が生じないようにしている。
なお、ハンドル部２、インサート部３、鍔部１０及びブラシヘッド部４の植台７は、樹脂により一体形成されている。従って当然に、鍔部１０が軸方向に位置ズレしたり軸まわりに回転したりするようなこともない。形成素材とする樹脂は、ＰＥＴをはじめ、ポリカーボネイトやＡＢＳ、メラミン等とすればよい。
【００１２】
ハンドル部２は、図３に示すように、その外周面が長手方向軸心を中心として等幅の４面に面取り形成されている。そのため、各面取り面２ａ，２ｂ，２ｃ，２ｄに指先や掌を当てることでハンドル部２（即ち、ペット用歯ブラシ１の全体として）の回り止めができることになる。また、ハンドル部２の周方向において指の滑り止めになるという作用も得られる。
各面取り面２ａ，２ｂ，２ｃ，２ｄは同じ幅であることから、ハンドル部２を持つときに方向性がでない（どの方向で持つときも同じ手触り感となる）という利点もあり、使用勝手が良好となる。
【００１３】
本実施形態においてハンドル部２の長さは７５ｍｍ、太さ（面取りによる二面幅）は約１４ｍｍとした。
一方、ブラシヘッド部４の軸方向長さＷは１０〜３０ｍｍとし、インサート部３を含めた全長Ｌは４０〜７０ｍｍ程度とした。またブラシヘッド部４の外径は１０ｍｍ〜３０ｍｍぐらいまでの間で適宜選択すればよい。本実施形態では約１５ｍｍとした。またブラシ８に用いた樹脂糸は０．１２ｍｍ程度の太さを有するナイロン糸とした。
ハンドル部２に対するブラシヘッド部４の傾斜角度θは、０°を除き、最大６０°ぐらいまでの間で適宜選択すればよい。本実施形態では１５°とした。
【００１４】
なお、ブラシヘッド部４を形成するには、例えば、まずブラシ８にする樹脂糸（長さを揃えたもの）を立てた姿勢で細帯状に整列させ、全ての樹脂糸の毛根側を熱溶融させることで、柔軟性を有する融着基板帯（図１中の符号１２参照）を生じさせ、この融着基板帯１２に樹脂糸（図１中の符号１３参照）が溶着一体化された一次製品を形成させる。
そして、この一次製品の融着基板帯１２を植台７へ螺旋状に巻き付けることで、ブラシヘッド部４を形成することができる。
なお、このようにして形成したブラシヘッド部４において、その先端側から正面視した状態で、ブラシ８（融着基板帯１２及び樹脂糸１３）が時計回り方向となるように巻き付けると、ブラシヘッド部４を側面視したときには、いわゆる右ねじ状態となる。
【００１５】
そのため、このペット用歯ブラシ１の使用者が、使用中、意図せずに歯ブラシ全体を右方向へ捻るような使い方をした場合など、ブラシ８に対して右旋回作用が生じることがあると、ブラシ８自体が軸方向に縮むような現象を起こすおそれがある。
このような現象の発生を嫌う場合には、融着基板帯１２を植台７に固着（固着の方法は接着剤による接着や加熱溶着、超音波溶着、締まり嵌めによる物理的な嵌着など種々を採用可能）する方法や、正面から見た巻き付け方法を反時計回り方向（左ねじ状態）とする方法などを採用することも可能である。
【００１６】
場合によっては、融着基板帯１２を一巻きした状態でエンドレスの環状に形成させ（即ち、薄型の円板形を呈したブラシ８を形成させる）、この円板形のブラシ８を軸方向にスペーサを挟むか、又は挟まないで複数枚、重ね合わせるようにしつつ植台７に串刺し状に挿入し、全体が円柱状を呈するブラシヘッド４に形成させるようにしてもよい。
以上、詳説したところから明かなように、本考案に係るペット用歯ブラシ１では、ハンドル部２から棒状に延出するインサート部３を介してブラシヘッド部４が設けられているため、ハンドル部２を持つ使用者の手や指とペットの口中との間に所定の距離を保つことができるようになっている。
【００１７】
また、インサート部３とハンドル部２との間に鍔部１０が設けられているため、ハンドル部２を持つ使用者の手や指が、意図せずにインサート部３やブラシヘッド部４側へずれてしまうということがない。
これらのことから、使用者の手や指がペットの口中に入ってしまうということを防止できるので、唾液で汚される等の不具合も生じないことになる。従って、本考案に係るペット用歯ブラシ１は、ペットの歯を磨くのに好適に使用できる。
なお、鍔部１０はインサート部３を伝ってペットの唾液が流れてきたときに、この唾液を堰き止める役目もある。
【００１８】
また鍔部１０は、ペットの口中に対するブラシヘッド４の差し込み量を制限する役目もある。更に鍔部１０は、ペット側から見てハンドル部２を持つ使用者の指先を隠す（ペットの視線を遮る）役目があるため、ペットに暴れるきっかけを与えないという利点も有する。
本実施形態において、ブラシヘッド部４は円柱形に形成されたものとしているので、上下の歯や口中の奥方の歯を磨きやすくなっている。
またブラシヘッド部４は斜めに傾斜させてあるため、歯磨き中、ペットの顔を無理矢理上向きにさせなくても、上下の歯や口中の奥方の歯へブラシヘッド４を届かせることができるようになり、歯磨きが一層容易になる。
【００１９】
ところで、本考案は、上記実施形態に限定されるものではなく、実施の形態に応じて適宜変更可能である。
例えば、ハンドル部２には適宜着色や表示を施し、見栄えの向上や宣伝媒体としての利用を図ることができる。ハンドル部２には滑止めのための各種加工を施すことも可能である。なお、ハンドル部２は、必ずしも等幅４面の面取り面２ａ、２ｂ、２ｃ、２ｄを有したものとする必要はなく、その断面形状も、円形や楕円形、長方形、三角形などとすることが可能である。
【００２０】
鍔部１０の平面視形状は適宜変更可能である。またブラシ７８は天然繊維や動物毛などを素材として形成することもできる。
各部の寸法や形状などは、ペットの大きさや種類などに応じて適宜変更可能である。
【図面の簡単な説明】
【００２１】
【図１】本考案に係るペット用歯ブラシの一実施形態を示した斜視図である。
【図２】図１に対応する側面図である。
【図３】図２のＡ−Ａ線拡大断面図である。
【図４】図２のＢ−Ｂ線拡大断面図である。
【図５】図１のペット用歯ブラシについてその使用例を示した斜視図である。
【符号の説明】
【００２２】
１    ペット用歯ブラシ
２    ハンドル部
３    インサート部
４    ブラシヘッド部
７    植台
８    ブラシ
１０    鍔部
【図１】
0003142108.tif 000003
【図２】
0003142108.tif 000004
【図３】
0003142108.tif 000005
【図４】
0003142108.tif 000006
【図５】
0003142108.tif 000007